(57)【要約】【課題】目的地や移動経路を考慮して、受信状況がよい放送局に自動的に切り替える。【解決手段】地上デジタル放送受信機は、受信した地上デジタル放送をＴＳ信号として出力し、かつ受信状況を出力するチューナと、ＴＳ信号をデコードして出力するデコード手段と、選局情報及び目的地情報を入力するインターフェイスと、受信したＧＰＳ信号より現在位置情報を取得する位置情報取得手段と、目的地情報、現在地情報及び地図ＤＢに基づいて経路情報を作成する経路情報作成手段と、経路情報及び放送局データベースに基づいて、放送局切り替えリストを作成する放送局リスト作成手段と、選局情報に基づいて対応する物理チャネルをチューナに選局させるとともに、受信状況が劣化した場合に放送局切り替えリストを用いて現在視聴中の放送局系列の次候補放送局の物理チャネルをチューナに選局させる放送局切り替え手段と、を有する。【選択図】図１
2011061655.tif 000002
【特許請求の範囲】
【請求項１】
受信した地上デジタル放送をＴＳ信号として出力するとともに、受信した前記地上デジタル放送の受信状況を出力するチューナと、
前記ＴＳ信号をデコードし、映像出力信号及び音声出力信号として出力するデコード手段と、
選局情報及び目的地情報を入力するユーザーインターフェイスと、
受信したＧＰＳ信号より現在位置情報を取得し出力する位置情報取得手段と、
入力された前記目的地情報、取得された前記現在地情報及び所定の地図データベースに基づいて、経路情報を作成して出力する経路情報作成手段と、
作成された前記経路情報及び所定の放送局データベースに基づいて、放送局切り替え候補と物理チャネルを対応付けた放送局切り替えリストを作成する放送局リスト作成手段と、
入力された前記選局情報に基づいて対応する物理チャネルを前記チューナに選局させるとともに、前記受信状況が劣化した場合に、前記放送局切り替えリストを用いて現在視聴している放送局系列の次の候補となる放送局の選局情報に基づいて対応する物理チャネルを前記チューナに選局させる放送局切り替え手段と、を有することを特徴とする地上デジタル放送受信機。
【請求項２】
受信した地上デジタル放送をＴＳ信号として出力するとともに、受信した前記地上デジタル放送の受信状況を出力するチューナと、
前記ＴＳ信号をデコードし、映像出力信号及び音声出力信号として出力するデコード手段と、
選局情報及び目的地情報を入力するユーザーインターフェイスと、
受信したＧＰＳ信号より現在位置情報を取得し出力する位置情報取得手段と、
入力された前記目的地情報、取得された前記現在地情報及び所定の地図データベースに基づいて経路情報を作成して出力するとともに、前記現在地情報を定期的に取得して前記経路情報を更新する経路情報作成及び更新手段と、
作成された前記経路情報及び所定の放送局データベースに基づいて、放送局切り替え候補と物理チャネルを対応付けた放送局切り替えリストを作成する放送局リスト作成手段と、
入力された前記選局情報に基づいて対応する物理チャネルを前記チューナに選局させるとともに、前記受信状況が劣化した場合に、前記放送局切り替えリストを用いて現在視聴している放送局系列の次の候補となる放送局の選局情報に基づいて対応する物理チャネルを前記チューナに選局させる放送局切り替え手段と、を有することを特徴とする地上デジタル放送受信機。
【発明の詳細な説明】
【技術分野】
【０００１】
本発明は、車載機器やポータブル機器等の移動体向けの地上デジタル放送受信機に関するものである。
【背景技術】
【０００２】
近年、車載テレビや携帯電話を初めとするポータブル機器等、移動体で地上デジタル放送を受信する機会が増えつつある。
【０００３】
日本の地上デジタル放送では、放送局は広域放送または県域放送といった具合に目標とする放送サービスを提供するエリアが決められている。さらに山やタワー等の高い場所に放送局や中継局を設け電波を送信するため、送信電力や地形等制約から１つの放送局から放送される電波を良好な状態で受信できる範囲（サービスエリア）が有限であり、１つの広域もしくは県域内でも複数の中継局を設置して、放送サービスを提供している。
【０００４】
移動体での受信では、異なる放送局や中継局のサービスエリアの間を移動する可能性がある。複数の放送局や中継局では異なる物理チャネルで同一の番組を同時に放送している場合があり、サービスエリア間を遷移しても同一番組を見続けるためには、ユーザーはチャネルの切り替えを余儀なくされる。
【０００５】
このような課題を解決するために、例えば特許文献１記載の装置ではユーザーの選局指示に対して、受信できる放送がない場合には同じ番組を放送している放送局を探し自動的に切り替えて受信する方式が提案されている。
【先行技術文献】
【特許文献】
【０００６】
【特許文献１】特開２００１−１５６５９５号公報
【発明の概要】
【発明が解決しようとする課題】
【０００７】
しかしながら、上記特許文献１に示した受信方式では、県境等場所によっては切り替えを行う候補となる放送局が複数存在する場合もあり、自動的に切り替えた放送局がユーザーの移動経路や目的地を考慮すると必ずしも最適なものとは限らない場合が生じる。その結果、放送局切り替え後の移動に伴い再び受信状況が劣化し放送局切り替えが必要となる可能性がある。
【０００８】
つまり、本発明が解決しようとする課題は、移動中に受信状況が劣化した場合には同じ番組を放送している放送局を探し、ユーザーの移動目的地や移動経路を考慮した上で受信状況がよい放送局に自動的に切り替えることである。
【課題を解決するための手段】
【０００９】
本発明の地上デジタル放送受信機は、受信状況の劣化に伴い同一番組を放送している放送局を探し、より良い受信状況が得られる放送局に自動的に切り替えて受信する受信方式において、移動に際して予め現在地情報や目的地情報や移動経路情報を取得し、移動経路上で切り替えが必要と予測される放送局のリスト（放送局切り替えリスト）を作成し、作成した放送局切り替えリストを用いて自動切り替えを行うことと、経路変更や目的地変更に伴い、予め作成した放送局切り替えリストを更新する機能を有することを特徴とする。
【発明の効果】
【００１０】
本発明は、放送局切り替え後の移動に伴う更なる受信状況劣化や放送局切り替えの回数を軽減できる。また、放送局を切り替える際の候補を予め準備することで放送局切り替えに要する時間を短縮でき、ユーザーの利便性向上が期待できる。
【図面の簡単な説明】
【００１１】
【図１】本発明の実施の形態１における地上デジタル放送受信機の構成を示すブロック図
【図２】同実施の形態における放送局切り替えリストの例を示す図
【図３】同実施の形態における地上デジタル放送受信機の放送局切り替え処理を示すフローチャート
【図４】本発明の実施の形態２における地上デジタル放送受信機の構成を示すブロック図
【発明を実施するための形態】
【００１２】
本発明は、地上デジタル放送受信機能付きのカーナビゲーションにおいて、ユーザーが目的地や移動経路を設定した段階で、移動に伴い放送局切り替えを行う候補となる放送局切り替えリストを作成し、受信状況が劣化した段階で予め作成した放送局切り替えリストを参照し、自動で放送局切り替えを行う。以下本発明を実施するための最良の形態について、図面を参照しながら説明する。
【００１３】
（実施の形態１）
図１は、本発明の実施の形態１における地上デジタル放送受信機の構成を示すブロック図である。地上デジタル放送受信機は、放送用アンテナ１００、チューナ１０１、デコード手段１０２、映像表示手段１０３、音声再生手段１０４、放送局切り替え手段１０５、ＧＰＳアンテナ１２０、位置情報取得手段１２１、経路情報作成手段１２２、放送局リスト作成手段１２３、地図データベース１２４、放送局データベース１２５、ユーザーインターフェイス１３０から構成される。
【００１４】
放送用アンテナ１００は、地上デジタル放送の周波数帯域の電波を受信しチューナ１０１へと出力する。
【００１５】
チューナ１０１は、放送用アンテナ１００で受信した電波から放送局切り替え手段１０５で指定された物理チャネル情報に合わせた放送波を選局してＯＦＤＭ復調し、ビタビ複合後リードソロモン復号し、ＴＳ信号として出力する。
【００１６】
デコード手段１０２は、ＴＳ信号をデコードし映像出力信号と音声出力信号を出力する。
【００１７】
映像表示手段１０３は、映像出力信号を表示する手段である。この映像表示手段１０３は例えば液晶ディスプレイ等の表示デバイスであるが、このようなデバイスを有さず他の機器への映像信号出力端子を有するものであっても良い。
【００１８】
音声再生手段１０４は、音声出力信号を再生する手段である。この音声再生手段１０４は例えばスピーカ等の音声再生デバイスであるが、このようなデバイスを有さず他の機器への音声信号出力端子を有するものであっても良い。
【００１９】
ユーザーインターフェイス１３０は、操作ボタンやタッチパネル、リモコン等のユーザーインターフェイスであり、実現方法については特に限定しない。ユーザーが視聴を希望する放送を指示するとこれを選局情報として出力し、ユーザーが移動の目的地を指示すると、これを目的地情報として出力する。
【００２０】
ＧＰＳアンテナ１２０は、ＧＰＳ信号を受信し位置情報取得手段１２１へと出力する。位置情報取得手段１２１は、ＧＰＳ信号より地上デジタル放送受信機の現在位置情報を取得し、経路情報作成手段１２２へと出力する。
【００２１】
経路情報作成手段１２２は、ユーザーインターフェイス１３０から入力された目的地情報と位置情報取得手段１２１から得た現在地情報に基づき、地図データベース１２４を参照しながら移動経路案を作成し経路情報として出力する。
【００２２】
地図データベース１２４は、現在地情報と目的地情報から移動経路を作成する上で必要な道路等の地図情報を保持するデータベースである。
【００２３】
放送局データベース１２５は、地域と放送局系列と物理チャネルを関連付けして保持するデータベースである。
【００２４】
放送局リスト作成手段１２３は、経路情報作成手段１２２から得た経路情報に基づき、放送局データベース１２５を参照しながら、放送局切り替えの候補である放送局切り替えリストを作成する。放送局切り替えリストは、移動経路に沿った地域毎の物理チャネルの遷移を示すものである。
【００２５】
図２に、放送局リスト作成手段１２３で作成する放送局切り替えリストの例を示す。例１では、現在地が大阪府で、京都府から滋賀県と岐阜県を経て目的地である愛知県に行く場合を想定している。放送局切り替えリスト２０１ではＮＨＫ総合を初めとして放送局系列毎の経路情報（ここでは大阪府、京都府、滋賀県、岐阜県、愛知県）に対応する物理チャネルが格納されている。
【００２６】
例２に示す放送局切り替えリスト２０２では、現在地が大阪府で、奈良県から三重県を経て目的地である愛知県に行く場合を想定している。例１と例２に示す様に、現在地と目的地は同じであっても途中の移動経路が異なると放送局切り替えの候補も異なるものになる。
【００２７】
なお、例１及び例２では移動経路に伴う放送局切り替えリスト作成を都道府県の単位で行っているが、市町村等さらに細かい地域で作成しても良い。また放送局切り替えリストを作成する地域を放送局や中継局のサービスエリアを基準にしても良く、放送局系列毎に放送局切り替えリストを作成する地域が異なっていても良い。
【００２８】
放送局切り替え手段１０５は、ユーザーインターフェイス１３０から得られた選局情報と、放送局リスト作成手段１２３から得られた放送局リスト切り替えリストと、チューナ１０１から得られた受信状況とから、チューナ１０１に対して選局を指示する物理チャネル情報を出力する。
【００２９】
図３は、放送局切り替え手段１０５の行う放送局切り替え処理を示すフローチャートである。
【００３０】
ステップＳ１では、ユーザーインターフェイス１３０より視聴開始の指示が入力されるのを待つ。視聴開始の指示があった場合にはステップＳ２へと遷移する。
【００３１】
ステップＳ２では、ユーザーインターフェイス１３０より得られた選局情報に該当する放送の物理チャネル情報を出力する。
【００３２】
ステップＳ３では、チューナから得られた受信状況に基づき、受信状況が劣化している場合にはステップＳ４へと遷移し、受信状況が劣化していない場合にはステップＳ５へと遷移する。
【００３３】
ここで受信状況の劣化の判断については、地上デジタル放送の受信が良好に行えるか否かで行う。地上デジタル放送の受信状況の指標として、ビットエラーレートが良く用いられており、受信機においてビタビ復号後のビットエラーレートが２×０．０００１以下であれば、リードソロモン復号でエラー訂正が可能な擬似エラーフリーとなる。なお、受信状況はＣ／Ｎ比やＣ／Ｎ比とビットエラーレートの両方で用いて判断しても良く、本実施の形態では特に限定しない。
【００３４】
ステップＳ４では、放送局リスト作成手段１２３で作成した放送局切り替えリストから、選局情報に基づいて現在チューナ１０１に指示している物理チャネル情報の次の候補となる物理チャネルを取得し、これをチューナ１０１に対して出力する。その後ステップＳ３へと再び遷移する。
【００３５】
ステップＳ５では、ユーザーインターフェイス１３０より視聴終了の指示があった場合には処理を終了する。視聴終了の指示がない場合には再度ステップＳ２へと遷移する。
【００３６】
このような構成を採用したので、受信状況の劣化に伴い同一番組を放送している放送局を探し、より良い受信状況が得られる放送局に自動的に切り替えて受信する方式によって、移動に際して予め現在地情報や目的地情報や移動経路情報を取得し、移動経路上で切り替えが必要と予測される放送局の放送局切り替えリストを作成し、放送局切り替えリストを用いて自動切り替えを行うことができるため、放送局切り替え後の移動に伴う更なる受信状況劣化や放送局切り替え回数を軽減でき、また、放送局を切り替える際の候補を予め準備することで放送局切り替えに要する時間を短縮できる。
【００３７】
（実施の形態２）
図４は、本発明の実施の形態２における地上デジタル放送受信機の構成を示すブロック図である。地上デジタル放送受信機は、放送用アンテナ１００、チューナ１０１、デコード手段１０２、映像表示手段１０３、音声再生手段１０４、放送局切り替え手段１０５、ＧＰＳアンテナ１２０、位置情報取得手段１２１、経路情報作成及び更新手段４２２、放送局リスト作成手段４２３、地図データベース１２４、放送局データベース１２５、ユーザーインターフェイス１３０から構成される。
【００３８】
経路情報作成及び更新手段４２２以外は、実施の形態１で同機能であるため説明を省略する。
【００３９】
経路情報作成及び更新手段４２２は、ユーザーインターフェイス１３０から入力された目的地情報と位置情報取得手段１２１から得た現在地情報に基づき、地図データベース１２４を参照しながら移動経路案を作成し経路情報として出力する。さらに現在地情報を定期的に取得し、地上デジタル放送受信機の位置が、既に作成した経路情報が示す経路から外れた場合には経路情報を再度作成し出力する。
【００４０】
このような構成を採用したので、受信状況の劣化に伴い同一番組を放送している放送局を探し、より良い受信状況が得られる放送局に自動的に切り替えて受信する方式によって、移動に際して予め現在地情報や目的地情報や移動経路情報を取得し、移動経路上で切り替えが必要と予測される放送局の放送局切り替えリストを作成し、放送局切り替えリストを用いて自動切り替えを行うことと、経路変更や目的地変更に伴い予め作成した放送局切り替えリストを更新することができるため、放送局切り替え後の移動に伴う更なる受信状況劣化や放送局切り替え回数を軽減でき、また、放送局を切り替える際の候補を予め準備することで放送局切り替えに要する時間を短縮できる。
【産業上の利用可能性】
【００４１】
本発明にかかる地上デジタル放送受信機は、移動に際して予め現在地情報や目的地情報や移動経路情報を取得し、移動経路上で切り替えが必要と予測される放送局の放送局切り替えリストを作成し、放送局切り替えリストを用いて自動切り替えを行うので、カーナビゲーションシステムと一体になった地上デジタル放送受信機として有効である。
【符号の説明】
【００４２】
１００    放送用アンテナ
１０１    チューナ
１０２    デコード手段
１０３    映像表示手段
１０４    音声再生手段
１０５    放送局切り替え手段
１３０    ユーザーインターフェイス
１２０    ＧＰＳアンテナ
１２１    位置情報取得手段
１２２    経路情報作成手段
１２３    放送局リスト作成手段
１２４    地図データベース
１２５    放送局データベース
４２２    経路情報作成及び更新手段
【図１】
2011061655.tif 000003
【図２】
2011061655.tif 000004
【図３】
2011061655.tif 000005
【図４】
2011061655.tif 000006